(57)【要約】【課題】バックルの雄部材と雌部材との結合・分離操作を妨げることなく、使用対象のデザイン性の向上に寄与する。【解決手段】リュックサック１に取り付けられる雌部材７と、ベルトＢに取り付けられる雄部材６とからなるバックル５の取付構造において、雌部材と雄部材との少なくとも一方は、互いに結合された状態を解除するための解除操作部を有し、雌部材と雄部材とは、互いに結合された状態において、リュックサックに形成された樹脂製シート１１により、解除操作部を除く少なくとも一部が遮蔽されている構成とする。【選択図】図１
2010057659.tif 000002
【特許請求の範囲】
【請求項１】
第１の被連結体に取り付けられる雌部材と、第２の被連結体に取り付けられる雄部材とからなるバックルの取付構造であって、
前記雌部材と前記雄部材との少なくとも一方は、互いに結合された状態を解除するための解除操作部を有し、
前記雌部材と前記雄部材とは、互いに結合された状態において、前記第１または前記第２の被連結体に形成された遮蔽部により、前記解除操作部を除く少なくとも一部が遮蔽されていることを特徴とするバックルの取付構造。
【請求項２】
前記遮蔽部は、前記第１または前記第２の被連結体の意匠面を構成することを特徴とする、請求項１に記載のバックルの取付構造。
【請求項３】
前記遮蔽部は、シート状を呈し、前記雌部材または前記雄部材が前記遮蔽部に取り付けられたことを特徴とする、請求項１または請求項２に記載のバックルの取付構造。
【請求項４】
前記雌部材または前記雄部材を前記遮蔽部に取り付けるための装着部材を備え、
前記遮蔽部の少なくとも一部が、前記雌部材または前記雌部材と前記装着部材との間に挟持されていることを特徴とする、請求項１から請求項３のいずれかに記載のバックルの取付構造。
【請求項５】
前記遮蔽部は、一対のシート部材によって構成され、
前記装着部材は、前記一対のシート部材の間に介装されたことを特徴とする、請求項４に記載のバックルの取付構造。
【請求項６】
前記遮蔽部には、前記雌部材または前記雄部材が取り付けられる取付部材が設けられていることを特徴とする、請求項１から請求項５のいずれかに記載のバックルの取付構造。
【請求項７】
前記雄部材は、係合部を有し、
前記雌部材は、前記係合部が係止される受け部を有することを特徴とする、請求項１から請求項６のいずれかに記載のバックルの取付構造。
【請求項８】
前記係合部は、前記受け部に対して磁力により係止されることを特徴とする、請求項７に記載のバックルの取付構造。
【請求項９】
請求項１から請求項８のいずれかに記載のバックルの取付構造を備えた袋物。
【発明の詳細な説明】
【技術分野】
【０００１】
本発明は、使用対象のデザイン性の向上に寄与するバックルの取付構造に関する。
【背景技術】
【０００２】
従来、リュックサックにおけるショルダベルト、サイドコンプレッションおよびチェストストラップ等には、それらの少なくとも一部を構成する帯状体（ベルト、テープ等）の連結具としてバックルが用いられている。
【０００３】
この種のバックルをシート材（リュックサック等を構成する織布や合成樹脂シートなど）に取り付ける構造としては、例えば、シート材の表面に装着される器具本体（雌部材）と、シート材の裏面に配置される装着用部材とを備え、器具本体は、複数の装着用突起を有し、当該装着用突起が、シート材を裏面まで貫通して装着用部材の係合孔に挿嵌されるようにしたバックルの取付構造が知られている（特許文献１参照）。
【特許文献１】米国特許第７１９４７８７号明細書
【発明の開示】
【発明が解決しようとする課題】
【０００４】
ところで、バックルの使用対象（リュックサックや鞄等の被連結体）においては、そのデザイン性を向上させるためにバックルの少なくとも一部を遮蔽することが望まれる場合がある。しかしながら、上記従来のバックルの取付構造では、雌部材は、シート材の表面（意匠面）に装着されるためバックルを遮蔽することは困難であった。この場合、雌部材を更に別のシート材で覆う構成も考えられるが、雄部材の係合部が露出する雌部材の開口部分が布地等によって覆われてしまうと、バックルを分離する際の操作性が著しく低下してしまうという問題があった。
【０００５】
本発明は、このような従来技術の課題を鑑みて案出されたものであり、解除操作部を除くバックルの少なくとも一部を遮蔽することで、バックルの雌部材と雄部材との結合・分離操作を妨げることなく使用対象のデザイン性の向上に寄与するバックルの取付構造を提供することを目的とする。
【課題を解決するための手段】
【０００６】
上記課題を解決するためになされた第１の発明は、第１の被連結体（１）に取り付けられる雌部材（７）と、第２の被連結体（Ｂ）に取り付けられる雄部材（６）とからなるバックル（５）の取付構造であって、前記雌部材と前記雄部材との少なくとも一方は、互いに結合された状態を解除するための解除操作部を有し、前記雌部材と前記雄部材とは、互いに結合された状態において、前記第１または前記第２の被連結体に形成された遮蔽部（１１）により、前記解除操作部を除く少なくとも一部が遮蔽されている構成とする。
【０００７】
また、第２の発明として、前記遮蔽部は、前記第１または前記第２の被連結体の意匠面を構成する構成とすることができる。具体的には、図１に示すように、前記遮蔽部の裏側に雌部材（７）を配置することで、リュックサックや鞄等の被連結体等の意匠面裏側に雌部材（７）を遮蔽できるため、シート材の表面（意匠面）に装着する必要が無く、意匠面（デザイン性）の向上に寄与することとなり、従来例にはない付加価値を創出できる。
【０００８】
また、第３の発明は、前記遮蔽部は、シート状を呈し、前記雌部材または前記雄部材が前記遮蔽部に取り付けられた構成とすることができる。
【０００９】
また、第４の発明として、前記雌部材または前記雄部材を前記遮蔽部に取り付けるための装着部材（４３）を備え、前記遮蔽部の少なくとも一部が、前記雌部材または前記雌部材と前記装着部材との間に挟持されている構成とすることができる。
【００１０】
また、第５の発明として、前記遮蔽部は、一対のシート部材（４１，４２）によって構成され、前記装着部材は、前記一対のシート部材の間に介装された構成とすることができる。
【００１１】
また、第６の発明として、前記遮蔽部には、前記雌部材または前記雄部材が取り付けられる取付部材（６２）が設けられている構成とすることができる。
【００１２】
また、第７の発明として、前記雄部材は、係合部（２２，７１，８１）を有し、前記雌部材は、前記係合部が係止される受け部（３４，７４，８２）を有する構成とすることができる。
【００１３】
また、第８の発明として、前記係合部は、前記受け部に対して磁力により係止される構成とすることができる。
【００１４】
また、第９の発明は、上記第１から第８の発明のいずれかに係るバックルの取付構造を備えた袋物とする。
【発明の効果】
【００１５】
上記第１および第９の発明によれば、解除操作部を除くバックルの少なくとも一部を遮蔽することで、バックルの雌部材と雄部材との結合・分離操作を妨げることなく使用対象（第１の被連結体または第２の被連結体）のデザイン性の向上に寄与することができる。上記第２の発明によれば、簡易な構成により、バックルの外観が使用対象の意匠に及ぼす影響を抑制することができる。上記第３の発明によれば、シート状の遮蔽部を用いることにより使用対象の形態の自由度を維持しつつ、バックルにおける解除操作部を除く少なくとも一部を遮蔽することが可能となる。上記第４の発明によれば、装着部材を用いることにより、雌部材または雄部材を遮蔽部に対して容易かつ安定的に取り付けることが可能となる。上記第５の発明によれば、簡易な構成により、装着部材の外観が使用対象の意匠に及ぼす影響を排除することができる。上記第６の発明によれば、簡易な構成により、バックルの解除操作部を除く少なくとも一部を遮蔽しつつ、雌部材または雄部材を遮蔽部に対して取り付けることができる。上記第７の発明によれば、雄部材と雌部材との結合および分離が容易となる。上記第８の発明によれば、簡易な構成により、雌部材と雄部材との結合および分離を実現することができ、雄部材と雌部材との設計の自由度が高まる。
【発明を実施するための最良の形態】
【００１６】
以下、本発明の実施の形態について図面を参照しながら説明する。以下では、特に断り書きのない限り、バックルの説明における方向を示す用語「前」，「後」は、雌部材に対する雄部材の結合方向およびその反対方向にそれぞれ対応するものとする。
【００１７】
図１は本発明の第１実施形態に係るバックルの取付構造を示す説明図であり、図２および図３は結合状態のバックルの斜視図および断面図であり、図４はバックルにおける雌部材の取付構造の詳細を示す分解斜視図である。
【００１８】
図１に示すように、リュックサック（第１の被連結体）１は、収容物の量や配置などに応じてリュックサック本体（以下、「本体」という。）を圧縮可能とするサイドコンプレッション２を備えている。サイドコンプレッション２は、ベルトやテープ等からなる帯状体（第２の被連結体）Ｂを有しており、この帯状体Ｂは、後端側が本体に固定されるとともに、前端側がバックル５の雄部材６に取り付けられている。また、リュックサック１は、その前側の意匠面を構成する樹脂製シート（遮蔽部）１１を有しており、図１（Ａ）の円内に拡大して示すように、樹脂製シート１１の裏面１１ａには、バックル５の雌部材７が取り付けられている。このように、リュックサック１は、少なくとも雌部材７を樹脂製シート１１により遮蔽する（即ち、意匠から排除する）ことでデザイン性の向上を図っている。樹脂製シート１１の周縁は、雌部材７の後端側（雄部材６と結合する側）を除き、本体に対して縫い付けられている。
【００１９】
雄部材６は、図３に示すように、帯状体Ｂが取り付けられる帯状体取付部２１と、帯状体取付部２１の左右側部２１ａから前方に向けて突設された一対の弾性片２２と、雌部材７との結合をガイドすべく、帯状体取付部２１の前部２１ｂから前方に向けて両弾性片２２の間に突設されたガイド片２３とを有しており、これらは合成樹脂材料によって一体成形されている。
【００２０】
弾性片２２は、互いに対称形状をなし、その後端側には、帯状体取付部２１の側部２１ａ後端に接続される接続部２２ａが設けられるとともに、その前端側には、雌部材７に係止される係止爪２２ｂが外側後方に向けて突設されている。弾性片２２の接続部２２ａを除く部分は、帯状体取付部２１から側方に離隔されて配置されており、これにより、弾性片２２は、係止爪２２ｂを内側（雌部材７との係止を解除する方向）に変位させるように、接続部２２ａを固定点として弾性変形可能である。弾性片２２において、接続部２２ａと係止爪２２ｂとの間に位置する中間部２２ｃの少なくとも後方側は、係止爪２２ｂを内側に変位させるための操作力を受ける解除操作部として機能する。この解除操作部は、図３に示すように、バックル５の結合状態において、雌部材７とオーバーラップしない（即ち、本実施形態では、雌部材７の係止孔３４に挿入されずに露出した状態にある。）。
【００２１】
雌部材７は、図２に示すように、本体３１と、この本体３１の底面から突設され、リュックサック１への取り付けに供される複数の装着用脚部３２とを有しており、これらは雄部材６と同様に合成樹脂材料によって一体成形されている。
【００２２】
本体３１には、図３に示すように、雄部材６との結合方向に延在するガイド孔３３と、このガイド孔３３の左右に配置された係止孔３４とが設けられている。雄部材６との結合の際には、ガイド孔３３に雄部材６のガイド片２３が挿入されるとともに、係止孔３４に雄部材６の弾性片２２がそれぞれ挿入される。係止孔３４を画成する雌部材７の左右側壁３５の後端内側には、雄部材６の係止爪２２ｂが係止される係止爪３５ａが内側前方に向けて突設されている。また、左右側壁３５の後端外側には面取り部（ここでは、内側に傾斜した傾斜面）３５ｂが形成されている。
【００２３】
雌部材７の装着用脚部３２は、図４に示すように、リュックサック１の樹脂製シート１１を構成する表シート片（シート部材）４１と裏シート片（シート部材）４２との間に介装された装着部材４３に対して装着される。表シート片４１は、その表面がリュックサックの意匠面を構成する。一方、意匠面を構成しない裏シート片４２は、表シート片４１の裏面側に重ねられる。装着部材４３には、装着用脚部３２に対応する位置に係合孔４４および係合切欠き４５が形成されており、装着用脚部３２を、裏シート片４２に形成された挿通孔４６を通して装着用脚部３２の係合孔４４にそれぞれ嵌着することができる。これにより、裏シート片４２は、雌部材７と装着部材４３との間に挟持された状態となり、雌部材７は樹脂製シート１１に対して容易かつ安定的に取り付けられる。
【００２４】
なお、雌部材７の樹脂製シート１１に対する取り付けは、上記のような装着部材４３を用いる方法に限定されるものではない。例えば、雌部材７を、樹脂製シート１１に対して直接溶着または接着したり、或いは直接縫い付けたりしてもよい。
【００２５】
上記構成のバックル５において、雄部材６と雌部材７とを結合する際には、使用者は、弾性片２２の中間部２２ｃを摘むように雄部材６を支持して、ガイド片２３の先端を雌部材７のガイド孔３３に挿入し、この状態で雄部材６を前方に移動させる。これにより、両者の結合がガイドされ、さらに、雄部材６の弾性片２２が係止孔３４にそれぞれ挿入される。このとき、弾性片２２は、その先端部が雌部材７の係止爪３５ａに摺接することで内側に変位しながら前進し、係止爪２２ｂの先端位置が係止爪３５ａの先端位置を超えたときに、再び元の状態に回復するように外側に変位する。これにより、図３に示すように、係止爪２２ｂが係止爪３５ａに係止された状態となり、両者の結合が完了する。
【００２６】
一方、雄部材６と雌部材７とを分離する際には、図３中に二点鎖線で示すように、使用者は、解除操作部（中間部２２ｃの露出部分）を摘むようにして、内向きの操作力を与える。これにより、係止爪２２ｂが内側に変位して係止爪３５ａとの係止状態が解除される。この状態で、雄部材６を後方に引き抜くことで、両者の分離が完了する。このとき、使用者は、指先が面取り部３５ｂにかかるように解除操作部を摘むことで、操作解除部に操作力を与えた際に、雌部材７に対して前方（分離方向）への力を付与して、分離操作を円滑に行なうことができる。
【００２７】
なお、図１（Ｂ）に示すように、雄部材６と雌部材７との結合状態において、雌部材７とオーバーラップしていない雄部材６の解除操作部は、樹脂製シート１１から露出した状態となるので、雄部材６と雌部材７との結合・分離操作が妨げられることはない。
【００２８】
図５は本発明の第２実施形態に係るバックルの斜視図であり、図６は図５のバックルにおける雌部材の取付構造の詳細示す分解斜視図である。図５，図６において、第１実施形態に係るバックルと同様の構成要素については同一の符号が付してある。また、以下で特に言及しない事項については、第１実施形態の場合と同様とする。
【００２９】
雄部材６は、図５（Ａ）に示すように、平面視において略凹状をなす帯状体取付部２１の前側中央から前方に向けて突設された１つの弾性片２２と、帯状体取付部２１の前側左右端部から前方に向けて突設された一対のガイド片２３とを有している。弾性片２２は、その後端側に、帯状体取付部２１に接続される接続部２２ａが設けられるとともに、その前端側に、雌部材７に係止される係止爪２２ｂが設けられている。また、中間部２２ｃは、操作力を受けることにより係止爪２２ｂを内側に変位させる解除操作部として機能する。雌部材７には、雄部材６の弾性片２２およびガイド片２３がともに挿入される開口５１が設けられており、この開口５１を画成する上壁５２の内面には、挿入された係止爪２２ｂを係止可能な係止溝（図示せず）が設けられている。ガイド片２３は、雌部材７の左右側壁５３の内面に摺接することで、雄部材６と雌部材７との結合をガイドする。
【００３０】
なお、図５（Ｂ）に示すように、雄部材６と雌部材７との結合状態において、雄部材６の解除操作部（中間部２２ｃ）は雌部材７とオーバーラップしていない。従って、解除操作部は、第１実施形態のバックル５の場合と同様に、樹脂製シート１１から露出した状態となり、雄部材６と雌部材７との結合・分離操作が妨げられることはない。
【００３１】
図６に示すように、雌部材７の底面には装着用スロット６１が形成されており、この装着用スロット６１には、樹脂製シート１１の裏面１１ａから突設された取付部材６２が嵌着される。これにより、雌部材７は樹脂製シート１１に対して容易かつ安定的に取り付けられる。
【００３２】
図７は本発明の第３実施形態に係るバックルの斜視図である。図７において、第１実施形態に係るバックルと同様の構成要素については同一の符号が付してある。また、以下で特に言及しない事項については、第１実施形態の場合と同様とする。
【００３３】
雄部材６は、帯状体取付部２１の前側中央から前方に向けて突設された１つの係合片７１を有している。一方、雌部材７には、雄部材６の係合片７１が挿入される開口７２が設けられており、この開口７２の一部を画成する上壁７３には、係合片７１の先端部７１ａが嵌入される係合孔７４が設けられている。
【００３４】
雄部材６と雌部材７とを結合する際には、使用者は、帯状体取付部２１を摘むように雄部材６を支持して、雄部材６の係合片７１を雌部材７の開口７２に挿入する。このとき、係合片７１の先端部７１ａは、雌部材７の下壁７５の内側に設けられたガイドレール７６によって上方に導かれ、係合孔７４に嵌入される。一方、雄部材６と雌部材７とを分離する際には、使用者は、結合の際と同様に雄部材６を支持して、図７（Ｂ）中の矢印で示すように、雄部材６の後端側を下方に変位させ、その後、雄部材６を後方に引き抜くことで、両者の分離が完了する。この場合、帯状体取付部２１全体が、解除操作部として機能する。
【００３５】
なお、図７（Ｂ）に示すように、雄部材６と雌部材７との結合状態において、雄部材６の解除操作部は雌部材７とオーバーラップしていない。従って、解除操作部は、第１実施形態のバックル５の場合と同様に、樹脂製シート１１から露出した状態となり、雄部材６と雌部材７との結合・分離操作が妨げられることはない。
【００３６】
図８は本発明の第４実施形態に係るバックルの斜視図である。図８において、第１実施形態に係るバックルと同様の構成要素については同一の符号が付してある。また、以下で特に言及しない事項については、第１実施形態の場合と同様とする。
【００３７】
雄部材６は、帯状体取付部２１の前側中央から前方に向けて延設された１つの係合片８１を有しており、係合片８１の前部中央には、磁石Ｍ１が埋設されている。一方、雌部材７には、雄部材６の係合片８１と嵌合する係合溝８２が設けられており、係合溝８２の後端には、雄部材６の係合孔８３に嵌入される係止突起８４が下向きに突設されている。係止突起８４の下部には、前方に突出した爪部８４ａが設けられている。爪部８４ａは、係止突起８４が係合孔８３に嵌入された際に、係合孔８３の前面に設けられた段部８３ａに係止される。また、係合溝８２を画成する雌部材７の上壁には、雄部材６の磁石Ｍ１に対応する位置に磁石Ｍ２が埋設されている。磁石Ｍ１と磁石Ｍ２とは互いに引き合うように磁極の向きが設定されている。
【００３８】
雄部材６と雌部材７とを結合する際には、使用者は、帯状体取付部２１を摘むように雄部材６を支持して、雄部材６の係合片８１を雌部材７の係合溝８２に嵌合させる。このとき、磁石Ｍ１と磁石Ｍ２とが磁力により互いに引き合うことで、雄部材６が正規の結合位置に導かれ、係止突起８４が係合孔８３に嵌入される。一方、雄部材６と雌部材７とを分離する際には、使用者は、結合の際と同様に雄部材６を支持して、雄部材６を僅かに前方に移動させて磁石Ｍ１と磁石Ｍ２との位置をずらすとともに、爪部８４ａの係合孔８３に対する係止状態を解除する。続いて、図８（Ｂ）中の矢印で示すように、雄部材６の後端側を下方に変位させ、その後、雄部材６を後方に引き抜くことで、両者の分離が完了する。この場合、帯状体取付部２１全体が、解除操作部として機能する。
【００３９】
なお、図８（Ｂ）に示すように、雄部材６と雌部材７との結合状態において、雄部材６の解除操作部は雌部材７とオーバーラップしていない。従って、解除操作部は、第１実施形態のバックル５の場合と同様に、樹脂製シート１１から露出した状態となり、雄部材６と雌部材７との結合・分離操作が妨げられることはない。
【００４０】
本発明を特定の実施形態に基づいて詳細に説明したが、これらの実施形態はあくまでも例示であって本発明はこれらの実施形態によって限定されるものではない。本発明に係るバックルの材質や形状（弾性片や係合片の数およびその配置や、弾性片や係合片に設けられる係合部およびこれを係止する雌部材側の対応係合部の形態等を含む）は、雄部材と雌部材との結合・分離操作を妨げることなく、解除操作部を除くバックルの少なくとも一部を遮蔽可能とする限りにおいて、種々の変更が可能である。また、本発明に係るバックルの取付構造を適用可能な袋物は、上記リュックサックに限らず、物を入れて持ち運ぶために用いられ、連結具を介して着脱可能に設けられたベルト等を有する任意の袋状の用具でよい。さらに、バックルを遮蔽する部材は、少なくとも解除操作部を露出可能な形態であればよく、上記シート材に限らず、箱状部材など種々の変更が可能である。上記実施形態では、主として雌部材を遮蔽する場合について示したが、少なくとも解除操作部が露出されている限り、雄部材を遮蔽する構成も同様に可能である。
【図面の簡単な説明】
【００４１】
【図１】本発明の第１実施形態に係るバックルの取付構造を示す説明図
【図２】図１の結合状態におけるバックルの斜視図
【図３】図１の結合状態におけるバックルの断面図
【図４】図１の雌部材の取付構造の詳細を示す分解斜視図
【図５】本発明の第２実施形態に係るバックルの斜視図
【図６】図５の雌部材の取付構造の詳細を示す分解斜視図
【図７】本発明の第３実施形態に係るバックルの斜視図
【図８】本発明の第４実施形態に係るバックルの斜視図
【符号の説明】
【００４２】
１  リュックサック（第１の被連結体）
２  サイドコンプレッション
５  バックル
６  雄部材
７  雌部材
１１  樹脂製シート（遮蔽部）
２１  帯状体取付部
２２  弾性片
２２ａ  接続部
２２ｂ  係止爪
２２ｃ  中間部
２３  ガイド片
３１  雌部材本体
３２  装着用脚部
３４  係止孔
３５  側壁
３５ａ  係止爪
４１  表シート材（シート部材）
４２  裏シート材（シート部材）
４３  装着部材
６２  取付部材
７１  係合片
７２  開口
７４  係合孔
８１  係合片
８２  係合溝
８４  係止突起
８４ａ  爪部
Ｂ  帯状体（第２の被連結体）
Ｍ１，Ｍ２  磁石
【図１】
2010057659.tif 000003
【図２】
2010057659.tif 000004
【図３】
2010057659.tif 000005
【図４】
2010057659.tif 000006
【図５】
2010057659.tif 000007
【図６】
2010057659.tif 000008
【図７】
2010057659.tif 000009
【図８】
2010057659.tif 000010